(57)【要約】【課題】送受信制御回路内に平衡度の補正回路を設け、平衡度の良い平衡出力と共に良好な伝送特性を得られる送受信制御回路を提供する。【解決手段】送受信信号を選択制御してアンテナ４と受信回路３、送信回路とアンテナ４との接続処理を行う送受信制御回路３に、インピーダンス整合回路１５、フィルタ回路１１、不平衡―平衡の変換回路１２、平衡度補正回路１３を配置した。【選択図】    図１
2004153581.tif 000002
【特許請求の範囲】
【請求項１】
アンテナ端子と複数の入出力端子とを有し、送受信帯域が異なる複数の送受信号を前記アンテナ端子と前記所定入出力端子との間に選択的に通過させる分波回路と、
前記分波回路から供給される受信信号を受信回路に、送信回路から供給される送信信号を前記分波回路にそれぞれ選択的に切り替え接続するスイッチ回路とを有し、
前記スイッチ回路と前記受信回路の間に、インピーダンス整合回路、特定の受信信号を通過させるフィルタ回路、不平衡信号を平衡信号に変換する不平衡−平衡変換回路、平衡度を補正する平衡度補正回路を接続配置したことを特徴とする送受信制御回路。
【発明の詳細な説明】
【０００１】
【発明の属する技術分野】
本発明は、マイクロ波帯で用いられる送受信制御回路に関し、通過周波数の異なる複数の送受信通信システムの送信信号及び受信信号の送受信選択を行うマルチバンド用の送受信制御回路に関する。
【０００２】
【従来の技術】
近年の携帯電話をはじめとする移動体通信の加入者数は大変に増加している。現在の多元接続方式として、ＦＤＭＡ、ＴＤＭＡ方式があるがこれらの方式はいずれも周波数帯域を占有する方式（周波数を共有できない）であり、これからも増加し続け、加入者を賄いきれなくなるとみられている。
【０００３】
また、携帯電話をはじめとする移動体通信の機能の向上およびサービスの向上が常に図られている。その中でも特徴あるサービスの向上として、国際ローミングがあげられる。これは一台の携帯電話機を複数の国（異なる通信システム）で使えるようにする機能である。これらに対応した移動体通信機器は、２つ以上の送受信通信システムを取り扱うものである。
【０００４】
たとえば、２つの送受信通信システムを取り扱うデュアルバンド携帯電話機では、第１の送受信通信システムとしてＤＣＳ１８００通信システム（送信（ＴＸ）の周波数：１７１０〜１７８５ＭＨｚ、受信（ＲＸ）周波数：１８０５〜１８８０ＭＨｚ）であり、第２の送受信通信システムとしてＧＳＭ通信システム（送信（ＴＸ）周波数：８８０〜９１５ＭＨｚ、受信（ＲＸ）周波数：９２５〜９６０ＭＨｚ）である。
【０００５】
このような移動体通信機器では、それぞれの送受信通信システムの送信信号、受信信号に対応した信号経路、及び各送信周波数、各受信周波数を切り替えるために、分波回路とスイッチ回路とを用いた送受信制御回路を有し、その送受信制御回路に接続される高周波回路とともに高周波スイッチモジュールとして取り扱われる（例えば、特許文献１及び特許文献２参照）。
【０００６】
図４に一例として点線で示す送受信制御回路２を含むスイッチモジュールの回路図を示す。このスイッチモジュールは、第１の送受信通信システムとしてＤＣＳ１８００通信システム、第２の送受信通信システムとしてＧＳＭ通信システムの２つの通信システムに対応し、例えば、ＤＣＳ１８００通信システムの送受信信号は、アンテナＡＮＴとＤＣＳ通信システムの送受信回路との間を接続し、ＧＳＭ通信システムの送受信信号は、アンテナＡＮＴとＧＳＭ通信システムの送受信回路との間を接続する分波回路（ＤＩＰＸ）、スイッチ回路を有している。具体的には、アンテナ、分波回路（ＤＩＰＸ）、スイッチ回路の順に接続されている。
【０００７】
ここで、従来の送受信制御回路は、分波回路（ＤＩＰＸ）５、スイッチ回路６、ローパスフィルタ７とで構成され、スイッチモジュールとしては、この送受信制御回路２以外に、フィルタ回路１１、不平衡−平衡回路１２、パワーアンプ８、送信回路及び受信回路を集積化した高周波ＩＣ（ＲＦＩＣ）３を有していた。そして、従来は、実装基板上に、送受信制御回路２を１つの部品としたモジュールを実装し、同時に、実装基板にフィルタ回路１１を構成する弾性表面波素子（ＳＡＷフィルタ）、不平衡−平衡回路１２を具備するモジュール部品、高周波ＩＣ（ＲＦＩＣ）３をそれぞれ実装していた。
【０００８】
送受信制御回路２を構成する分波回路（ＤＩＰＸ）５は、ノッチフィルタを２個、又は、ＨＰＦ（ハイパスフィルタ）とＬＰＦ（ローパスフィルタ）から構成され、アンテナに接続される端子と、例えばＤＣＳ１８００通信システムの送受信信号が導出・供給される送受信端子と、例えば、ＧＳＭ通信システムの送受信信号が導出・供給される送受信端子とを具備している。
【０００９】
また、スイッチ回路６は、例えばＤＣＳ１８００通信システム側のスイッチ回路６では、分波回路５のＤＣＳ１８００通信システムの送受信端子と受信回路、送信回路とが夫々集積された高周波ＩＣ３に接続されており、送信回路から供給された送信信号をアンテナ側の分波回路（ＤＩＰＸ）に導出し、アンテナ側から供給された受信信号をＤＣＳ１８００通信システム用の受信回路に導出する。また、ＧＳＭ通信システム用のスイッチ回路６についても、例えばＧＳＭ通信システムの送信信号をアンテナ側の分波回路（ＤＩＰＸ）に導出し、アンテナ側から供給された受信信号をＧＳＭ通信システム用の受信回路に導出するために、各送信信号、受信信号の経路を切換えるものである。
【００１０】
尚、図４において、送受信制御回路２と接続される各通信システム用の受信回路及び送信回路は、高周波ＩＣ（ＰＦ−ＩＣ）３に集積・一体化されている。この高周波ＩＣ（ＰＦ−ＩＣ）３は、ＰＬＬ、ＴＣＸＯ、ＶＣＯに接続され、さらに、Ｉ／ＯデバイスであるＫＥＹ（操作装置）やＭＩＣ（マイク）、ＤＩＳＰＬＡＹ（表示装置）などに接続されるマイコンによって、その動作は制御される。
【００１１】
尚、この送受信制御回路２の各受信側端子（ＲＸＤＣＳ、ＲＸＧＳＭ）９と高周波ＩＣ（ＰＦ−ＩＣ）３との間には、特定の受信信号を通過させる弾性表面波素子などからなるフィルタ回路１１、フィルタ回路１１から不平衡信号を平衡信号に変換する不平衡−平衡変換回路（ｂａｌｕｎ）１２が接続され、実際には、実装基板上に配置されていた。
【００１２】
また、高周波ＩＣ（ＰＦ−ＩＣ）３と送受信制御回路２の各送信側端子１０（ＴＸＤＣＳ、ＴＸＧＳＭ）との間には、増幅回路８が配置されて、さらに、スイッチ回路ＳＷに、送信信号の高調波成分を除去するローパスフィルタ（ＬＰＦ）７が配置されている。
【００１３】
このようなスイッチ回路６は、複数のストリップライン、スイッチングダイオード、直流制限コンデンサ、高周波信号制限インダクタンス成分、バアイス電圧設定抵抗などをから構成され、同時に、分波回路（ＤＩＰＸ）は、インダクタンス成分、容量成分やストリップラインから構成されている。このような送受信制御回路２、分波回路（ＤＩＰＸ）５、スイッチ回路６、ローパスフィルタ７は、誘電体層を複数積層した積層基板に形成されていた。具体的には、積層基板表面には、ダイオード、コンデンサ、インダクタンス部品などが実装され、その内部には、容量成分形成用導体膜、ストリップラインなどか形成されている。
【００１４】
尚、送受信制御回路以外の、これらに接続するフィルタ回路や不平衡−平衡変換回路（ｂａｌｕｎ）１２、パワーアンプ８、高周波ＩＣ（ＲＦＩＣ）３は、別途、実装基板に直接接続されていた。
【特許文献１】
特開２００１−２１１０９７号公報
【特許文献２】
特開２００１−３４５７２９号公報
【００１５】
【発明が解決しようとする課題】
しかし、上述の送受信制御回路において、安定動作のために回路的な手法としては、スイッチ回路から出力される受信信号（高周波信号）を平衡動作化させることは非常に有効である。すなわち、不平衡で微弱な受信信号に不要輻射または外来ノイズが影響すると、そのノイズがそのまま受信回路に導出されてしまう。このため、スイッチ回路から出力される受信信号を平衡信号モードで処理することで、高周波回路からの不要輻射または高周波回路への外来ノイズの影響を抑制することができる。これは、平衡信号の伝送路である２つの信号線が外来ノイズを等しく受けて、これらの信号を例えば高周波ＩＣ（ＲＦＩＣ）３で差動増幅処理することにより、ノイズを抑制することができるためである。
【００１６】
しかし、従来の送受信制御回路２において、図４で示すすべての回路、即ち、送受信制御回路２にフィルタ回路１１、不平衡−平衡回路１２を一体化すると、要求する特性が得られないという問題があった。これは、不平衡−平衡回路１２に、一体化して小型化することにより、不平衡−平衡回路１２を構成するストリップ線路に設計では考慮できなかった浮遊容量成分、浮遊インダクタンス成分が影響して、その結果、平衡度が変動してしまい伝送特性が変動してしまう。この平衡信号の受信信号を処理する高周波ＩＣ（ＲＦＩＣ）３で、差動増幅処理しても、所定信号（受信信号）を忠実に再生することができず、逆に所定信号よりもレベルが小さくあってしまうという問題点かあった。これは、送受信制御回路を小型化、すなわち、送受信制御回路を具備した高周波モジュールを高密度化した場合に、その平衡度が変動してしまうという問題が顕著となる。
【００１７】
本発明は上述の問題点に鑑みて案出されたものであり、その目的は、送受信制御回路内で信号を平衡信号として扱えるようにするとともに、送受信制御回路内に平衡度の補正回路を設け、平衡度の良い信号、すなわち、受信信号のレベルを減衰させることがない小型化可能な送受信制御回路を提供することにある。
【００１８】
【課題を解決するための手段】
本発明は、アンテナ端子と複数の入出力端子とを有し、送受信帯域が異なる複数の送受信号を前記アンテナ端子と前記所定入出力端子との間に選択的に通過させる分波回路と、
前記分波回路から供給される受信信号を受信回路に、送信回路から供給される送信信号を前記分波回路にそれぞれ選択的に切り替え接続するスイッチ回路とを有し、
前記スイッチ回路と前記受信回路の間に、インピーダンス整合回路、特定の受信信号を通過させるフィルタ回路、不平衡信号を平衡信号に変換する不平衡−平衡変換回路、平衡度を補正する平衡度補正回路を配置した送受信制御回路である。
【作用】
本発明の送受信制御回路によれば、送受信制御回路内に、インピーダンスの整合をとる整合回路と、特定の受信信号を通過させるフィルタ回路、不平衡信号を平衡信号に変換する不平衡−平衡変換回路、平衡度を補正する平衡度補正回路を有している。すなわち、補正回路で、送受信制御回路に用いられるフィルタ回路、不平衡信号を平衡信号に変換する不平衡−平衡変換回路に応じて、最適な平衡度を調整でき、もって、平衡を崩すことがなくなる。これにより、各回路における伝送特性の劣化や、ノイズ特性の劣化を有効に抑えることができる。
【００１９】
また、分波回路（ＤＩＰＸ）、スイッチ回路、フィルタ回路（ＳＡＷ）、不平衡−平衡変換回路、平衡度を補正する平衡度補正回路を、一体に組み込んで回路構成することができるため、回路自身の小型化もでき、実装基板上に実装する部品点数を減少されることができ、占有面積も減少させることができる。
【００２０】
【発明の実施の形態】
以下、本発明の送受信制御回路を図面に基づいて詳説する。図１は、本発明で送受信制御回路の回路図であり、図２は、この送受信制御回路を具備した高周波モジュール部品の断面構造を示す。尚、実施例は、従来と同様、ＤＣＳ１８００通信システム、ＧＳＭ通信システムに対応したデュアルバンドに送受信制御回路で説明する。
【００２１】
本発明の送受信制御回路１は、図１の点線で示すように、複数の通信システムに応じて通過しえる送受信信号を分ける分波回路（ＤＩＰＸ）５、特定の通信システムにおける受信信号と送信信号の経路を切り換えるスイッチ回路（ＳＷ）６、インピーダンス整合回路１５、受信信号側の経路に順次接続されたフィルタ回路１１、不平衡−平衡変換回路１２及び平衡度を補正する平衡度補正回路１３と、送信側端子とスイッチ回路６との間に配置されたローパスフィルタ７とから構成されている。
【００２２】
尚、上述の送受信制御回路１の構成説明では、一方の通信システム側の送受信制御回路のみで説明したが、分波回路５以降においては、他方の通信システムにおける受信信号と送信信号の経路を切り換えるスイッチ回路６、受信信号側の経路に順次接続されたフィルタ回路１１、不平衡−平衡変換回路１２及び平衡度を補正する平衡度補正回路１３と、送信側端子とスイッチ回路６との間に配置されたローパスフィルタ７とから構成されている。
【００２３】
例えば、アンテナ４から入った信号（少なくとも２つ通信システムの受信信号が混在している）は、分波回路（ＤＩＰＸ）５によって周波数バンドごとに分波され、例えば、１８００ＭＨｚ帯域の信号はＤＣＳ１８００通信システムの信号とみなし、ＤＣＳ１８００通信システムのスイッチ回路６に供給する（図１で上段側のスイッチ回路）。また、９００ＭＨｚ帯域の信号は、ＧＳＭ通信システムの信号と見なして、ＧＳＭ通信システムのスイッチ回路６（図１では下段側のスイッチ回路）に供給する。
【００２４】
分波回路（ＤＩＰＸ）５の次段には、送受信信号を切り替えるスイッチ回路（ＳＷ）６が接続されている。スイッチ回路６は、スイッチング素子を集積化したＧａＡｓ半導体素子や、ストリップライン、ＰＩＮダイオード、コンデンサ、抵抗、インダクタンスなどによって構成される。例えば、ＤＣＳ用スイッチ回路６は、アンナテ側から供給された信号は、受信側端子ＲＸＤＣＳ側に導出し、同時に送信側端子ＴＸＤＣＳ側に供給された所定周波数の信号を分波回路（ＤＩＰＸ）側に供給するものであり、受信信号と送信信号との接続経路を切換制御するものである。尚、ＧＳＭ用のスイッチ回路６についても同様である。
【００２５】
スイッチ回路６により導出された受信信号は、インピーダンス整合回路１５を介して、例えば、弾性表面波フィルタなどからなるフィルタ回路１１に供給される。尚、インピーダンス整合回路１５は、スイッチ回路６とフィルタ回路１１との間の特性インピーダンスの整合をとり、信号の伝送特性にロスをなくすためのものである。また、このフィルタ回路１１は、例えばフィルタ特性のうち、例えば選択性が非常に優れた弾性表面波フィルタからなり、これにより、分波回路５、スイッチ回路６を通過した受信信号を、受信処理に必要な所定周波数のみの信号成分を抽出している。
【００２６】
フィルタ回路１１より導出された受信信号は、フィルタ回路１１は、不平衡−平衡回路１２に供給される。そして、この不平衡−平衡回路１２によって、その出力信号が、入力された同一位相の信号と、その信号と１８０°位相が反転した信号とが出力されることになる。このように、位相が互い１８０°ずれた一対の信号を平衡信号という。これに対して、入力信号のように、グランド電位を基準にして振幅が決定される信号を、平衡信号に対して不平衡平信号という。
【００２７】
次に不平衡−平衡回路１２から出力された一対の平衡信号は、平衡度を補正する平衡度補正回路１３供給に供給される。この平衡度補正回路１３は、平衡状態の２つの入力信号を完全に、互いに位相が１８０°反転し、且つ信号レベルが同一となるように調整するものである。すなわち、上述したように、浮遊容量成分や浮遊インダクタンス成分などのより、不平衡−平衡回路１２で平衡度が変動してしまう場合があり、この平衡度を補正するものである。
【００２８】
そして、平衡度補正回路１３から出力される１対の出力信号は、完全な平衡関係の信号となる。この平衡度を補正する平衡度補正回路１３は、オープンスタブ・ショートスタブなどから構成されている。この平衡信号は、送受信制御回路１の出力信号として、例えば、ＲＸ  ＤＣＳ端子から出力され、受信回路を集積した高周波ＩＣ（ＲＦ−ＩＣ）３に供給され、受信処理される。
【００２９】
尚、このＲＸ  ＤＣＳ端子から出力される完全な平衡信号は、高周波ＩＣ（ＲＦ−ＩＣ）３内に差動増幅処理によって受信信号のみが抽出され、その間に重畳されたノイズ信号成分が抑制されることになる。尚、ＧＳＭ通信システム側の動作についても、ＤＣＳ通信システム側と同様である。
【００３０】
また、送信信号において、送信回路を集積した高周波ＩＣ（ＲＦ−ＩＣ）３で合成され、パワーアンプ８で増幅された後、送受信制御回路１のＴＸ  ＤＣＳ端子に供給される。そして、増幅された送信信号は、その高調波成分を除去するローパスフィルタ７を介してＤＣＳ用のスイッチ回路６に供給される。このスイッチ回路６では、送信信号が受信信号側系統に流がれることなく、分波回路５に導出され、その後、アンテナ４から空中に放出される。尚、上述の説明は、ＤＣＳ通信システム側の動作で説明したが、ＧＳＭ通信システムについても同様の動作をする。
【００３１】
次に、図１の点線部分で示した送受信制御回路１は、例えばハワーアンプ８や高周波ＩＣ（ＲＦ−ＩＣ）３とともに、１つの高周波モジュールとして取り扱われる。
図２は、その高周波モジュールの断面構造を示すものである。すなわち、高周波モジュールは、平面形状が矩形状の積層基板２１とシルードケース３０と積層基板２１の表面に実装された各種電子部品２７、２８から構成されている。積層基板２１は、複数の誘電体層（絶縁層）２３が積層されて構成され、各誘電体層の層間に所定配線層が形成されている。また、積層基板２１の表面には、各回路を構成する回路素子である電子部品２７、２８が実装されている。ここで、電子部品２７、２８とは、高周波モジュールを構成する各回路において、積層基板２１に内装できない電子部品が例示でき、例えばスイッチ回路６を構成するコンデンサ部品、ダイオード、インダクタンス部品、分波回路５、インピーダンス整合回路１５を構成するインダクタ部品、コンデンサ部品、フィルタ回路１１を構成する例えば弾性表面波フィルタ、ハワーアンプを構成するトランジスタまたはＩＣチップ、高周波ＩＣ（ＲＦ）３を構成するＩＣチップなどが例示できる。
【００３２】
また、積層基板２１の内部には、積層体基板２１を構成する各誘電体層２３の層間には、所定回路網を構成する配線パターン及び容量成分を構成する容量電極パターン、インダクタンス成分を構成するコイルパターン、ストリップ線路を構成するストリップラインやグランド導体層などの内部導体パターン２２が形成されている。また、各誘電体層２３の厚み方向には、各内部導体パターン２２間や内部導体パターン２２と表面配線パターンとを接続するビアホール導体２９が形成されている。また、積層体基板の底面には、この高周波モジュールの入出力となる端子電極２５、グランド導体膜２４が形成されている。
【００３３】
また、本実施例においては、フィルタ回路１１は、弾性表面波フィルタが例示できる。この弾性表面波フィルタは、他のフィルタ素子、分布定数で形成した、集中定数で形成したフィルタ回路に比較して、周波数抽出特性が非常に良好である。
【００３４】
また、弾性表面波フィルタは、圧電基板の出力用インターデジタル電極の構成により、フィルタの出力そのものを不平衡−平衡回路機能をもたせることができる。このため、フィルタ回路１２としては、弾性表面波フィルタが好適である。また、上述したように、弾性表面波フィルタに不平衡−平衡回路機能を具備させたフィルタ・不平衡−平衡回路（図１では合わせて符号１４と付している）を用いても構わない。
【００３５】
尚、このような弾性表面フィルタは、絶縁性容器に素子を収容しこの素子を金属蓋体で封止した部品である。この容器を省略して、高周波モジュールをより低背化を図るべく、積層基板２１の表面にキャビティを形成して、このキャビティ内に素子を収容し、積層基板２１の表面に、金属製蓋体を気密的に封止しても構わない。
【００３６】
本発明では、不平衡−平衡回路１２と高周波ＩＣ３との間に、平衡度補正回路１２を設けている。通常、従来の高周波モジュールを構成する回路においけは、所定配線基板上に、不平衡−平衡回路１２を送受信制御回路２と別に形成・実装し、さらに、高周波ＩＣ３を実装しており、不平衡−平衡回路１２の平衡度に悪影響を及ぼす浮遊容量成分や浮遊インダクタタンス成分の存在が少なく、比較的に不平衡−平衡回路１２での伝送特性が安定していた。これに対して、本発明のように、送受信制御回路１を小型化、高密度化により、送受信制御回路の各配線、モジュール化した時の金属ケースなどが影響して、設計時に考えられなかった浮遊容量成分、浮遊インダクタンス成分などが影響して、その結果、不平衡−平衡回路１２の特性が不安定となる。
【００３７】
すなわち、理想的には、不平衡−平衡回路１２の入力信号に対して、不平衡−平衡回路１２の平衡信号は、互いに位相が１８０°反転して、正負が逆になるもののレベル（振幅比）も同一であるのに対して、実際にそれらが変動してしまう。
【００３８】
不平衡−平衡回路１２の伝送特性ＦｒＤ（ｔ）は、振幅比をα、位相バランスエラーをφとおくと
ＦｒＤ（ｔ）＝α／（α＋１）・ＥＸＰ（ｊｗｔ）＋１／（α＋１）・ＥＸＰ（ｊｗｔ＋φ）
で示され、振幅比α、位相バランスエラーφによって、理想状態の伝送特性が劣化してしまう。
【００３９】
このため、本発明では不平衡−平衡回路１２の後段に、上述の振幅比α、位相バランスエラーφを補正して、理想状態の伝送特性に補正する平衡度補正回路１３を接続して、しかも、送受信制御回路の一部として具備させて、送受信制御回路などからの浮遊容量成分、浮遊インダクタンス成分の影響による不平衡−平衡回路１２の伝送特性を補正している。
【００４０】
平衡度を補正する平衡度補正回路１３は、図３に示すように、３つ伝送線路ＳＬ１〜ＳＬ３、伝送線路ＳＬ１、ＳＬ２に平衡なリアクタンス素子Ｙ１、Ｙ２、伝送線路ＳＬ１、ＳＬ２に接続された直列リアクタンス素子Ｙ１１、Ｙ１２、Ｙ２１、Ｙ２２からを構成されている。
【００４１】
そして、不平衡−平衡回路１２と高周波ＩＣ（ＲＦＩＣ）３との間の線路のインピーダンスが例えば５０Ωの特性インピーダンスよりも低い場合には、その伝送線路ＳＬ１、ＳＬ２に付随したリアクタンス素子Ｙ１、Ｙ２を調整することにより、その信号の通過帯域でのインピーダンスを高くすることができる。結果として伝送特性を改善することができる。
【００４２】
また、浮遊成分は、それをキャンセルするようなリアクタンス素子Ｙ１１、Ｙ１２、Ｙ１２、Ｙ２２を形成することにより、その影響をなくすことができる。
【００４３】
また、上述の伝送特性の式中で示した位相バランスエラーφは、伝送線路ＳＬ１、ＳＬ２の長さを調整することにより、位相回転を調整でき、また、直列に接続したリアクタンス素子Ｙ１１、Ｙ２１によっても、調整可能である。その結果、位相バランスエラーφを０とすることができる。また、振幅比αは、並列に形成したリアクタンス素子Ｙ１２、Ｙ２２によって調整可能であり、振幅比αを１とすることができる。
【００４４】
以上のように、送受信制御回路の一部に不平衡−平衡回路１２を具備するとともに、この不平衡−平衡回路１２の平衡度を補正する平衡度補正回路１３を備えているため、送受信制御回路１を積層基板２１に形成し、同時に、この積層基板２１に他の回路、例えば増幅回路８、高周波ＩＣ３を実装・形成しても、送受信制御回路からの出力を安定した平衡出力信号を得ることができ、これにより、差動増幅処理される高周波ＩＣ（ＲＦＩＣ）３で確実に受信処理動作を行うことができる。同時に、送受信制御回路を１つのモジュール化して小型化でき、しかも、分波回路（ＤＩＰＸ）や高周波ＩＣ（ＲＦＩＣ）３ともに１つのモジュールに一体化でき、モジュール全体の取り扱いが容易となる。
【００４５】
尚、本発明において、スイッチ回路は、ストリップライン、スイッチダイオード、コンデンサ、抵抗，インダクタンスを用いたスイッチ構成以外に，例えはスイチング素子をＧａＡｓ半導体素子を用いても構わない。
【００４６】
送受信通信システムは、ＧＳＭ通信システムやＤＣＳ１８００通信システムのほか、ＰＣＳ、Ｗ−ＣＤＭＡ、ＤＥＣＴ、ＡＭＰＳ、ＰＤＣ８００、ＰＨＳなどの通信システムのいずれかの組合せであっても、また、ワイヤレスＬＡＮやＢｌｕｅｔｏｏｔｈなどの組合せであっても構わない。
【００４７】
【発明の効果】
本発明の送受信制御回路は、分波回路、スイッチ回路、フィルタ回路、不平衡―平衡の変換回路、平衡度を補正する平衡度補正回路からなる。特に、平衡度を補正する平衡度補正回路で不平衡−平衡回路の伝送特性の補正を行うため、送受信制御回路の出力（特に受信信号）側において、ノイズに対する信号の安定維持ができる。
【００４８】
しかも、送受信制御回路を小型化しても、差動処理に適した非常に安定した受信信号を得ることができる。
【図面の簡単な説明】
【図１】本発明の送受信制御回路の回路図である。
【図２】本発明の送受信制御回路を具備した高周波モジュールの断面図である。
【図３】本発明の送受信制御回路に用いる平衡度を補正する平衡度補正回路の構成を示す回路図である。
【図４】従来の送受信制御回路の回路図である。
【符号の説明】
１    送受信制御回路
２    送受信制御回路
３    高周波ＩＣ
４    アンテナ
５    分波回路
６    スイッチ回路
７    ローパスフィルタ
８    パワーアンプ
９    受信端子
１０    送信端子
１１    フィルタ回路
１２    不平衡−平衡回路
１３    平衡度補正回路
１５    インピーダンス整合回路
２１    積層体
２２    内部導体パターン
２３    誘電体層
２４    グランド導体膜
２５    外部端子電極
２７、２８    電子部品
【図１】
2004153581.tif 000003
【図２】
2004153581.tif 000004
【図３】
2004153581.tif 000005
【図４】
2004153581.tif 000006